(57)【要約】【課題】狭いEPS内での使用に適した小型でありながら、剛性、支持強度に優れたケーブルラック用耐震架台を提供する。【解決手段】床面に設置固定されるベース体１０と、該ベース体１０上に立設固定された支柱２０と、該支柱２０の上端部に設置固定されケーブルラックを連結支持する支持体３０とからなるケーブルラック用耐震架台を設ける。支持体３０は、床面に垂直に立設する垂直材３１と、該垂直材３１の上端部から支柱２０の上端部に至る水平材３２とから成る。支柱２０を閉断面構造の筒材で形成し、該支柱２０の上端部に水平材３２を溶着固定する。水平材３２の長手側面から前記支柱２０の側面に重合する当接片３３を形成する。垂直材３１の長手側縁から前記支柱２０方向に延長される補強片３４を形成する。補強片３４と当接片３３とを連結する。【選択図】  図１
2008072841.tif 000002
【特許請求の範囲】
【請求項１】
床面に設置固定されるベース体と、該ベース体上に立設固定された支柱と、該支柱の上端部に設置固定されケーブルラックを連結支持する支持体とからなるケーブルラック耐震架台であって、前記支柱を閉断面構造の筒材で形成し、該支柱の上端部に支持体を溶着固定したことを特徴とするケーブルラック用耐震架台。
【請求項２】
前記支持体は、床面に垂直に立設する垂直材と、該垂直材の上端部から支柱の上端部に至る水平材とから成り、該水平材の長手側面から前記支柱の側面に重合する当接片を水平材に形成すると共に、前記垂直材の長手側縁から前記支柱方向に延長される補強片を垂直材に形成し、補強片と当接片とを連結した請求項１記載のケーブルラック用耐震架台。
【請求項３】
前記支柱を角筒材で形成し、前記支持体の当接片と前記支柱側面とを溶着すると共に、該当接片と前記補強片とが、前記垂直材と水平材とで成す内角を二分する位置で溶着された請求項１又は２記載のケーブルラック用耐震架台。
【発明の詳細な説明】
【技術分野】
【０００１】
本発明は、EPS（Electrical Piping Shaft）「通信ケーブル等の配管スベース」内で効率良くケーブルラックを耐震固定することができるケーブルラック耐震架台に関する。
【背景技術】
【０００２】
ケーブルラック耐震架台は、狭いEPSの中に設置される事から、できるだけ小型化で支持強度の高いものが望まれている。
【０００３】
例えば、コンパクトな支持材として、特許文献１に示される如き片持ち用のブラケットなどでは、１本の支柱でケーブルラックを支持する構成になっているので、省スペース内での支持に向いている。
【０００４】
また、特許文献２に記載されているケーブルラックの設置方法では、スラブ型枠材に固定したスラブ貫通枠とケーブルラックとを連結する設置方法が記載されている。この設置方法によると、スラブコンクリートを利用してケーブルラックを支持する方法であるから、他の取り付け作業を不要とするものである。
【特許文献１】特開２００２−３１５１６７号公報
【特許文献２】特開平９−２９４３１８号公報
【発明の開示】
【発明が解決しようとする課題】
【０００５】
ところが、特許文献１で示される片持ち構造では、小型で省スベース内での使用は可能でも、EPS内で十分な耐震強度を得ることはできない。すなわち、片持ちで支持する構造では、支持荷重が１本の支柱に集中し、この支柱に捩じり力が加わるので、耐震強度を要する工事では、極めて脆弱な構造になる危険性があった。
【０００６】
一方、特許文献２に記載されている如き設置方法では、スラブコンクリートを利用するので、支持強度は極めて高くなるものの、ケーブルラックを耐震固定する設置工事において、躯体施工時と同時進行の工事を要するので、設置工事に融通性がなくなり、スラブコンクリートを打設する時期にのみ設置可能になっている。したがって、狭いEPS内に後付けで耐震架台を配設することはできない。
【０００７】
そこで本発明は、上述の架台を解消すべく創出されたもので、狭いEPS内での使用に適した小型でありながら、剛性、支持強度に優れたケーブルラック耐震架台の提供を目的とするものである。
【課題を解決するための手段】
【０００８】
上述の目的を達成すべく本発明における第１の手段は、床面に設置固定されるベース体１０と、該ベース体１０上に立設固定される支柱２０と、該支柱２０の上端部に設置固定されケーブルラックを連結支持する支持体３０とからなるーブルラック用耐震架台であって、前記支柱２０を閉断面構造の筒材で形成し、該支柱２０の上端部に支持体３０を溶着固定したことにある。
【０００９】
第２の手段において、前記支持体３０は、床面に垂直に立設する垂直材３１と、該垂直材３１の上端部から支柱２０の上端部に至る水平材３２とから成り、前記水平材３２の長手側面から前記支柱２０の側面に重合する当接片３３を水平材３２に形成すると共に、前記垂直材３１の長手側縁から前記支柱２０方向に延長される補強片３４を垂直材３１に形成し、補強片３４と当接片３３とを連結させている。
【００１０】
第３の手段は、前記支柱２０を角筒材で形成し、前記支持体３０の当接片３３と前記支柱２０側面とを溶着すると共に、該当接片３３と前記補強片３４とが、前記垂直材３１と水平材３２とで成す内角を二分する位置で溶着されたことを課題解消のための手段とする。
【発明の効果】
【００１１】
本発明の請求項１によると、前記支柱２０を閉断面構造の筒材で形成し、該支柱２０の上端部に支持体３０を溶着固定したことにより、小型でありながら、剛性、支持強度に優れ、狭いEPS内での使用にも適したケーブルラック用耐震架台を提供することができる。
【００１２】
特に、支柱２０を筒材で形成することにより、支柱２０の断面が閉断面となり、支柱２０の有効極断面係数を大幅に向上させることができる。この結果、特に水平方向に対する負荷に対して極めて有効な耐震架台になっている。
【００１３】
請求項２により、ケーブルラックＰを連結支持する支持体３０は、床面に垂直に立設する垂直材３１と、該垂直材３１の上端部から支柱２０の上端部に至る水平材３２とから成るので、水平材３２にケーブルラックＰを連結する際に、垂直材３１によって水平材３２を支持しているので、連結作業を容易にすることができる。また、前記水平材３２の長手側面から前記支柱２０の側面に重合する当接片３３を水平材３２に形成すると共に、前記垂直材３１の長手側縁から前記支柱２０方向に延長される補強片３４を垂直材３１に形成し、これらの補強片３４と当接片３３とを連結したことから、支持体３０の剛性及び支持強度を高めることができる。
【００１４】
更に請求項３により、前記支柱２０を角筒材で形成し、前記支持体３０の当接片３３と前記支柱２０側面とを溶着すると共に、該当接片３３と前記補強片３４とが、前記垂直材３１と水平材３２とで成す内角を二分する位置で溶着されているので、支柱２０と支持体３０とが一体化して、片持ち構造のコンパクトな架台でありながら、極めて高い支持強度を有するものとなる。
【００１５】
このように、本発明によると、狭いEPS内での使用に適した小型でありながら、剛性、支持強度に優れたケーブルラック耐震架台を提供することができるといった種々の効果を奏するものである。
【発明を実施するための最良の形態】
【００１６】
本発明耐震架台の最良の形態は、床面に設置固定されるベース体１０と、該ベース体１０上に立設固定される支柱２０と、該支柱２０の上端部に設置固定されケーブルラックを連結支持する支持体３０とからなるケーブルラック用耐震架台を設ける。前記支持体３０は、床面に立設する垂直材３１と、該垂直材３１の上端部から支柱２０の上端部に至る水平材３２とから成る。前記支柱２０を筒材で形成し、該支柱２０の上端部に置板３２を溶着固定する。前記水平材３２の長手側面から前記支柱２０の側面に重合する当接片３３を水平材３２に形成する。前記垂直材３１の長手側縁から前記支柱２０方向に延長される補強片３４を垂直材３１に形成する。補強片３４と当接片３３とを連結する。前記支持体３０の当接片３３と前記支柱２０側面とを溶着する。該当接片３３と前記補強片３４とを、前記垂直材３１と水平材３２とで成す内角を二分する位置で溶着することで、当初の目的を達成するものである。
【実施例】
【００１７】
以下、本発明の一実施例を説明する。本発明耐震架台の基本構成は、ベース体１０、支柱２０、支持体３０からなるものである（図３参照）。
【００１８】
ベース体１０は、床面に設置固定され、後述する支柱２０を垂直に立設固定する部材である（図１参照）。図示のベース体１０は、平面正方形状をなし、アンカーボルトＲで床面に固定されるものである（図４参照）。
【００１９】
支柱２０は、ベース体１０上に立設固定される部材であり、円形の筒材や角筒材など、閉断面構造の部材を使用して支柱２０を形成する（図３参照）。このような各種筒材を使用することで、支柱２０の断面構造が閉断面となり、有効曲断面係数を向上させると共に、この支柱２０の上端部に設置固定する支持体３０と支柱２０とを一体化することができる。また、図示例の如く、支柱２０に角筒材を使用することで、後述する水平材３２との連結力をより高めることが可能である。
【００２０】
支持体３０は、該支柱２０の上端部に設置固定され、ケーブルラックＰを連結支持する部材である（図１参照）。図示の支持体３０は、更に、床面に立設する垂直材３１と、該垂直材３１の上端部から支柱２０の上端部に至る水平材３２とで構成されているが、垂直材３１を省略することも可能である。そして、この水平材３２を支柱２０の上端部に溶着固定し、支柱２０と支持体３０とを強固に連結している。この連結強度は、次の手段によって更に強化している。
【００２１】
すなわち、水平材３２の長手側面から前記支柱２０の側面に重合する当接片３３を水平材３２に形成する（図２参照）。また、垂直材３１の長手側縁から前記支柱２０方向に延長される補強片３４を垂直材３１に形成する。図示例では、Ｌ形鋼を使用して当接片３３や補強片３４を一体形成しているが、板状材に当接片３３や補強片３４を溶着することも可能である。そして、補強片３４に該当接片３３の一端部を連結するものである（図１参照）。更に、当接片３３と角筒材の支柱２０側面とを溶着することで、支柱２０と支持体３０とをより一体化している。図示例では、当接片３３と補強片３４とを、垂直材３１と水平材３２とで成す内角を二分する位置で溶着している。このように溶着することで、支持体３０の構造を強化することができる。
【００２２】
本発明の使用方法は、EPS内で、スラブを貫通するケーブルラックＰの両側に配してこのケーブルラックＰを支持するものである（図２参照）。そのため、本発明耐震架台は、支持体３０に対する当接片３３と補強片３４との配設位置を左右対称に設けた一対の耐震架台を使用する（図４参照）。このとき、ケーブルラックＰの左右の親桁Ｐ１と、各当接片３３とを当接させ、水平材３２上のねじ孔３２Ａにネジ止め固定したケーブルラックＰ用の垂直支持金具ＱでケーブルラックＰの親桁Ｐ１に連結する（図１参照）。図示の垂直支持金具Ｑは、略Ｌ字形状に屈曲されており、親桁Ｐ１の外側にネジ止めしている。また、ベース体１０と支柱２０との関係において、ケーブルラックＰ側、すなわち当接片３３を設けた側のベース体１０のスペースが若干広くなるように支柱２０を立設することで、ケーブルラックＰの耐震強度を高めている（図４参照）。
【００２３】
本発明耐震架台の製造時において、各部材を溶融亜鉛めっきにて浸漬めっきする。このとき、支柱２０空洞部内のめっき付きまわり向上のため、支柱２０の下端に溶着したベース体１０の底面部にめっき液が入り込む流入口１１を開穿している（図４参照）。尚、ベース体１０に示す符号１２はアンカー孔１２である。一方、支柱２０の上端に溶着した水平材３２には、流入口１１よりも小径の空気孔３２Ｂを開穿している。そして、流入口１１が下方になり、空気孔３２Ｂが上部になる位置に吊り下げ孔３１Ａを設けている〈図１参照〉。更に、図３に示す符号３１Ｂは、壁面固定用に使用する壁面用孔である。また、めっき錆汁発生を防ぐために、鋼材製支柱２０の合わせ部を全周溶接する。
【００２４】
尚、本発明は、図示例に限定されるものではなく、ベース体１０、支柱２０、支持体３０の形状、寸法等の設計変更などは、本発明の要旨を変更しない範囲において自由に変更できるものである。
【図面の簡単な説明】
【００２５】
【図１】本発明の使用状態を示す側面図である。
【図２】本発明の使用状態を示す正面図である。
【図３】本発明の一実施例を示す斜視図である。
【図４】本発明の対象形状を示す平面図である。
【符号の説明】
【００２６】
.
Ｐ  ケーブルラック
Ｐ１  親桁
Ｑ  垂直支持金具
Ｒ  アンカーボルト
１０  ベース体
１１  流入口
１２  アンカー孔
２０  支柱
３０  支持体
３１  垂直材
３１Ａ  吊り下げ孔
３１Ｂ  壁面用孔
３２  水平材
３２Ａ  ねじ孔  
３２Ｂ  空気孔
３３  当接片
３４  補強片
【図１】
2008072841.tif 000003
【図２】
2008072841.tif 000004
【図３】
2008072841.tif 000005
【図４】
2008072841.tif 000006